(57)【要約】      （修正有）【課題】伸縮することにより高さを調整可能な柱をビニルハウスの柱部材のベースとすることで、取り付けやすくし且つ所望のビニルハウスを建設できる伸縮可能な支柱を提供する。【解決手段】外側柱１０、内側柱２０及び昇降装置を備え、外側柱１０が内側柱２０の一端に套設され、昇降装置が内側柱２０と外側柱１０の内部の間に取り付けられ、スクリュ３２により枢軸に回動可能に外側柱１０内に取り付けられ、スクリュ３２の他端がレバーベース３１を貫通する結合孔３５１に結合され、スクリュ３２が回転するとき、外側柱１０が内側柱２０に対して上下移動可能になり、高さ調整機能を付与する、伸縮可能な支柱であり、それによって、ビニルハウスの設置位置にある取付孔の深さが一致しない場合においても、昇降装置を調整することにより各支柱の高さを一致にさせるように調整できる。【選択図】図２
0003219488.tif 000002
【実用新案登録請求の範囲】
【請求項１】
伸縮可能な支柱であって、
両端がそれぞれ天面及び底面となり、前記底面が内側へ窪んで収納溝を形成し、前記収納溝の溝底部が前記天面の内側面となる柱である外側柱と、
一端が底面であり、他端が移動可能に前記外側柱の収納溝内に挿通される柱である内側柱と、
前記外側柱と前記内側柱の内部に設けられる昇降装置とを備え、
前記昇降装置は、
前記内側柱内に設けられ、貫通する結合孔を有する支持部が設けられ、前記結合孔の内壁面に雌ネジが形成されるレバーベースと、
一端が前記外側柱の前記天面に枢軸で回動可能に連結され、他端が前記支持部の前記結合孔に螺合されるスクリュであって、
前記スクリュの前記外側柱の前記天面に近い前記内側面を取り囲むように突設される第１の押付部と、
前記スクリュの前記外側柱に近い前記天面を取り囲むように突設されるストッパ部とを有するスクリュと
を含む伸縮可能な支柱。
【請求項２】
一端が前記内側柱の前記底面に連結される柱脚と、
天面が前記柱脚の前記内側柱から離れる一端に設けられる柱脚受け板と、
それぞれの一端が前記柱脚の他端の対向側に枢軸で回動可能に連結される２枚の支持板とをさらに備える請求項１に記載の伸縮可能な支柱。
【請求項３】
それぞれの一端が枢軸で回動可能に前記柱脚に連結される２枚の係合板と、
前記支持板にそれぞれ設けられ、且つ前記係合板がそれぞれ枢軸で回動可能に当接される２つの係合部とをさらに備える請求項２に記載の伸縮可能な支柱。
【請求項４】
さらに溝部を備え、
前記溝部は、前記外側柱の前記天面において内部へ窪んでおり、前記溝部の前記底面に貫通孔が形成され、且つ、前記スクリュは前記溝部の前記貫通孔を貫通する請求項１〜３のいずれかに記載の伸縮可能な支柱。
【請求項５】
前記外側柱は矩形柱であり、前記内側柱は前記外側柱に対応した矩形柱である請求項４に記載の伸縮可能な支柱。
【考案の詳細な説明】
【技術分野】
【０００１】
本考案は、支柱に関し、特にビニルハウスの骨組みのベースとしての伸縮可能な支柱に関する。
【背景技術】
【０００２】
従来技術では、植物を栽培するためのビニルハウスは、複数本のビニルハウスの柱部材を含むように簡単に構成されており、これらビニルハウスの柱部材を互いに間隔を空けて地面に設置して、被覆用布を上記柱部材に被覆して、風や雨から保護するとともに、内部環境の温度などの自然条件を調整できるビニルハウスが構成される。
【０００３】
従来技術では、上記ビニルハウスの柱部材を固定する構造には複数種の形態があり、たとえば、鉄筋コンクリートなどの建材を用いてセメント杭脚部を予め製造して、上記セメント杭脚部の外部寸法を同一にし、所定の栽培区域の地面で間隔を空けて配列され且つ適切な深さを有する取付孔を掘出し、鉄筋コンクリート製のセメント杭脚部を上記取付孔内に装着してベースを構成し、続いて、ビニルハウスの柱部材の底部を結合部材で該セメント杭脚部のトップに固定して、セメント杭脚部の重量を利用してビニルハウスのベースを安定化させる目的を実現する。
【０００４】
しかしながら、従来技術の取り付け方法は以下の複数の欠点がある。
【０００５】
まず、図１０に示されるように、取付孔９０を掘り出すとき、各取付孔９０の深さが完全に同一であることを確保しにくく、互いの差異が掘り出すときに検出できるとは限らないが、セメント杭脚部９１が予め加工されているものであるので、各セメント杭脚部９１の高さが同様であるため、セメント杭脚部９１を地面に設置して各ビニルハウスの柱部材を取り付けると、同じ高さのセメント杭脚部９１が深さの異なる取付孔９０に挿入される場合、取付孔９０の深さの相違により設置済みのそれぞれの柱部材の高さが不一致になり、ビニルハウス全体が該柱部材の高さ位置の不一致により傾斜してしまう。
【０００６】
次に、ユーザが施工誤差によるビニルハウスの柱部材の傾斜を補修しようとする場合、セメント建材全体を取付孔９０から取り外して、改め取付孔９０を掘り出すか、又は、元のセメント杭脚部９１の建材に新しいセメントを補充したり又は一部のセメントを除去したりすることで高さを調整しなければならないが、いずれの補修方式であっても、ユーザにとっては時間がかかり且つコストを増加させる。
【０００７】
以上の点から分かるように、従来技術によりビニルハウスを建設するとき、セメント建材製のセメント杭脚部９１を固定用ベースとすると、使用上には欠点がある。
【考案の概要】
【考案が解決しようとする課題】
【０００８】
従来技術の欠点及び欠陥に鑑み、本考案は、伸縮することにより高さを調整可能な柱をビニルハウスの柱部材のベースとすることで、取り付けやすくし且つ所望のビニルハウスを建設できる伸縮可能な支柱を提供する。
【課題を解決するための手段】
【０００９】
上記考案の目的を達成させるために、本考案が採用した技術案は、以下のとおりである。
伸縮可能な支柱であって、
両端がそれぞれ天面及び底面となり、前記底面が内側へ窪んで収納溝を形成し、前記収納溝の溝底部が前記天面の内側面となる柱である外側柱と、
一端が底面であり、他端が移動可能に前記外側柱の収納溝内に挿通される柱である内側柱と、
前記外側柱と前記内側柱の内部に設けられる昇降装置とを備え、
前記昇降装置は、
前記内側柱内に設けられ、貫通する結合孔を有する支持部が設けられ、前記結合孔の内壁面に雌ネジが形成されるレバーベースと、
一端が前記外側柱の前記天面に枢軸で回動可能に連結され、他端が前記支持部の前記結合孔に螺合されるスクリュであって、
前記スクリュの前記外側柱の前記天面に近い前記内側面を取り囲むように突設される第１の押付部と、
前記スクリュの前記外側柱に近い前記天面を取り囲むように突設されるストッパ部とを有するスクリュとを含む。
【００１０】
本考案の利点は以下のとおりである。内側柱と外側柱の内部に昇降装置が設置されることにより、外側柱は内側柱に対して上下移動可能になり、高さ調整機能を有し、それによって、取付孔の深さが不一致である場合でも、支柱を取付孔に取り付けた後、調整昇降装置で各支柱の高さを一致にさせ、上方に架設された柱部材の杭脚部の高さを一致にさせる効果を奏する以外、高さ調整方式をより簡素化させて、時間を節約できる。
【００１１】
さらに、前記伸縮可能な支柱は、一端が前記内側柱の前記底面に連結される柱脚と、天面が前記柱脚の前記内側柱から離れる一端に設けられる柱脚受け板と、それぞれの一端が前記柱脚の他端の対向側に枢軸に回動可能に連結される２枚の支持板とをさらに備える。
【００１２】
さらに、前記伸縮可能な支柱は、それぞれの一端が枢軸で回動可能に前記柱脚に連結される２枚の係合板と、前記支持板にそれぞれ設けられ、且つ前記係合板がそれぞれ枢軸で回動可能に当接される２つの係合部とをさらに備える。
【００１３】
さらに、前記伸縮可能な支柱は、さらに溝部を備え、前記溝部は、前記外側柱の前記天面において内部へ窪んでおり、前記溝部の前記底面に貫通孔が形成され、且つ、前記スクリュは前記溝部の前記貫通孔を貫通する。
【００１４】
さらに、前記伸縮可能な支柱において、前記外側柱は矩形柱であり、前記内側柱は前記外側柱に対応した矩形柱である。
【図面の簡単な説明】
【００１５】
【図１】本考案の斜視外観図である。
【図２】本考案の分解図である。
【図３】本考案の上面図である。
【図４】本考案の伸長状態の断面図である。
【図５】本考案の収縮状態の断面図である。
【図６】本考案の展開動作の模式図である。
【図７】本考案の展開動作の模式図である。
【図８】本考案の展開動作の模式図である。
【図９】本考案が設置部位に取り付けられたときの模式図である。
【図１０】従来技術の模式図である。
【考案を実施するための形態】
【００１６】
以下、図面及び本考案の好適実施例にて、本考案が所定の考案目的を達成させるために使用される技術案についてさらに説明する。
【００１７】
図１、図２及び図４に示されるように、本考案に係る伸縮可能な支柱は、外側柱１０、内側柱２０、昇降装置３０、柱脚４０、柱脚受け板４１及び２枚の支持板５０を備える。
【００１８】
図１〜図３に示されるように、外側柱１０は、両端がそれぞれ天面及び底面となり、底面に収納溝１２が内部へ窪んで形成され、収納溝１２の溝底部が外側柱１０の天面の内側面である柱である。本実施例において、外側柱１０は矩形柱であるが、それに制限されず、外側柱１０はほかの多角形柱であってもよく、また、外側柱１０の天面に、溝部１１がさらに内部へ窪んで形成され、溝部１１の溝底部に貫通孔１１０が形成される。
【００１９】
内側柱２０は、トップ（頂部）に開口があり、底端部に底板があり、トップが移動可能に外側柱１０の収納溝１２に挿通された中空柱である。本実施例において、内側柱２０は外側柱１０に対応した矩形柱であるが、それに制限されず、内側柱２０が外側柱１０に挿通されたときに相対移動できるが、外側柱１０に対して回転できない目的を実現できればよい。
【００２０】
図２及び図４に示されるように、昇降装置３０は外側柱１０と内側柱２０の内部に設置され、且つ、レバーベース３１、スクリュ３２、第１の押付部３３及びストッパ部３４をさらに備える。
【００２１】
図２、図４及び図５に示されるように、レバーベース３１は内側柱２０内に設けられ、内壁面に雌ネジがある結合孔３５１が貫通される支持部３５を含む。また、本実施例において、支持部３５はレバーベース３１の中央位置に位置するが、それに制限されず、支持部３５とレバーベース３１は一体成形した構造としてもよい。
【００２２】
スクリュ３２は、一端が外側柱１０の天面に枢軸に回動可能に連結され、他端が支持部３５の結合孔３５１に螺合され、第１の押付部３３は、スクリュ３２の外側柱１０に近い天面を取り囲むように突設され、ストッパ部３４は、スクリュ３２の外側柱１０に近い溝底部を取り囲むように突設される。本実施例において、ストッパ部３４は、スクリュ３２の溝部１１に近い溝底部を取り囲むように突設され、スクリュ３２のネジ付のレバーが貫通孔１１０を貫通して外側柱１０の内部に位置し、このため、第１の押付部３３とストッパ部３４はそれぞれ、外側柱１０の溝部１１の溝底部の上面、下面に位置し、このように、スクリュ３２は溝部１１の貫通孔１１０内で回転できるが、上下に変位することができず、また、スクリュ３２のネジ付のレバーは内側柱２０の支持部３５の結合孔３５１に挿通され、スクリュ３２のネジと結合孔３５１のネジが互いに螺合される。
【００２３】
図４に示されるように、スクリュ３２を回転させる過程においては、外側柱１０内のみで回転可能なスクリュ３２と内側柱２０の支持部３５の雌ネジがネジを介して互いに連結され、それによって、第１の押付部３３を介して外側柱１０を押付して外側柱１０を内側柱２０に対して上へ移動させる。図５に示されるように、スクリュ３２を逆方向に回転させる過程においては、スクリュ３２は下へ回転して支持部３５に挿通して、外側柱１０を内側柱２０に対して下へ移動させる。
【００２４】
図１、図６及び図７に示されるように、本実施例において、柱脚４０は、一端が内側柱２０の底面に連結され、柱脚受け板４１の天面は、柱脚４０の内側柱２０から離れる一端に設けられ、具体的に、側面視で、柱脚４０は逆Ｔ字形の構造をしており、且つ柱脚受け板４１は長方形板材であるが、それに制限されず、柱脚受け板４１の形状構造については、支柱を支持する機能を発揮できればよい。
【００２５】
図６及び図７に示されるように、各支持板５０は、一端がそれぞれ柱脚４０の他端の対向側に枢軸に回動可能に連結され、且つ格納状態及び使用状態を有し、格納状態では、２枚の支持板５０は立設されるとともに、柱脚４０の外側面に密着するが、それに制限されず、２枚の支持板５０は完全に垂直ではなく、僅かに傾斜したり柱脚４０と一定の距離を有したりしてもよく、体積を減少させる効果を果たせばよい。使用状態では、２枚の支持板５０は水平に設置され、本実施例において、２枚の支持板５０が使用状態にあるとき、２枚の支持板５０の底面が柱脚受け板４１の天面に密着するが、それに制限されず、２枚の支持板５０が使用状態にあるとき、２枚の支持板５０の底面は柱脚受け板４１の底面と面一になってもよい。また、２枚の支持板５０の数も必要に応じて増加してもよく、たとえば４枚の支持板５０をそれぞれ柱脚４０の４つの側面に設置する。
【００２６】
また、本実施例において、２枚の支持板５０は枢軸に回動可能に柱脚４０に設けられ、使用される回動構造として、支持板５０と柱脚４０の間に従来技術であるヒンジ部材が設置されてもよい。
【００２７】
図６〜図８に示されるように、別の実施例において、２枚の係合板６０及び２つの係合部５１をさらに備え、各係合板６０は、一端が枢軸に回動可能に柱脚４０に連結され、各係合部５１は、各支持板５０に設けられ、且つ各係合板６０は、各係合部５１に当接されるまで枢軸に回動し、具体的に、２つの係合部５１はそれぞれ、各支持板５０の上面に突設され、２枚の係合板６０はそれぞれ、対向する各支持板５０の同側辺にある柱脚４０に軸設され、各係合板６０がそれぞれ所定の角度まで枢軸に回動すると、各該対応係合部５１に当接されて、広げた支持板５０を使用状態に維持して、格納状態に戻れないようにする。
【００２８】
ここで、支柱の使用状態及び格納状態についてさらに詳細に説明する。図６〜図９に示されるように、格納状態（図６を参照）では、２枚の支持板５０は立設されるとともに柱脚４０の外側面に密着し、２枚の係合板６０は立設されるとともに柱脚４０の外側面に密着し、使用状態（図８を参照）では、２枚の支持板５０の底面は柱脚受け板４１の天面に密着し、２枚の係合板６０はそれぞれ２つの係合部５１に当接される。取り付けるとき、図９に示されるように、ユーザは、支柱を予め掘り出した取付孔９０に入れて、次に、測定した水平位置の高さに準じてそれぞれ、各支柱のスクリュ３２を回転させて調整して、設置された各支柱の高さを一致にさせ、このように、異なる深さの取付孔９０に取り付けても、支柱の高さを調整することにより各支柱の外側柱１０の天面の高さを揃え、ベースを安定化させ、ビニルハウスを容易に建設できる目的を達成できる。
【００２９】
前述過程において、２枚の支持板５０の設計を有するため、支柱を取り付けるための底面積を増加して、組み立てるための底面による支持によりベースの安定性を高め、また、２枚の支持板５０は格納機能を有するため、貯蔵又は輸送時に占める体積を減少させる。
【００３０】
前述過程において、２枚の係合板６０及び２つの係合部５１の設計を有するため、予め掘り出した取付孔９０の幅が不十分であるとしても、２枚の係合板６０でそれぞれ２つの係合部５１を押付して２枚の支持板５０を広げて、取付孔９０の内壁面に当接させ、同様に、安定化効果を果たす。
【００３１】
前述過程において、溝部１１を設計することによって、スクリュ３２は、外側柱１０の天面から突出することなく溝部１１に設置され、外側柱１０の天面を平坦にして、柱部材の架設を容易にする。
【００３２】
前述過程において、外側柱１０と内側柱２０を矩形柱として設計することによって、スクリュ３２を回転させるとき、外側柱１０を連動して内側柱２０に対して回転させることがなく、このため、支柱における柱部材を取り付けた後、高さを調整する必要がある場合にも、スクリュ３２を直接回転させることで高さを調整できるという効果がある。
【００３３】
以上は本考案の好適実施例に過ぎず、本考案を何ら制限するものではなく、本考案について好適実施例にて説明したが、これらにより本考案は制限されることを意図せず、当業者であれば、本考案の技術案の範囲を逸脱せずに、上記開示された技術内容に基づいて、いくつかの変化又は修飾を行って、等同変化としての等価実施例を実現することができ、本考案の技術案の内容を逸脱せず、本考案の技術趣旨に基づいて以上の実施例について行う簡単な修正、等同変化や修飾はいずれも本考案の技術案の範囲に属する。
【符号の説明】
【００３４】
１０  外側柱
１１  溝部
１１０  貫通孔
１２  収納溝
２０  内側柱
３０  昇降装置
３１  レバーベース
３２  スクリュ
３３  第１の押付部
３４  ストッパ部
３５  支持部
３５１  結合孔
４０  柱脚
４１  柱脚受け板
５０  支持板
５１  係合部
６０  係合板
９０  取付孔
９１  セメント杭脚部
【図１】
0003219488.tif 000003
【図２】
0003219488.tif 000004
【図３】
0003219488.tif 000005
【図４】
0003219488.tif 000006
【図５】
0003219488.tif 000007
【図６】
0003219488.tif 000008
【図７】
0003219488.tif 000009
【図８】
0003219488.tif 000010
【図９】
0003219488.tif 000011
【図１０】
0003219488.tif 000012